(57)【特許請求の範囲】
【請求項１】
開口部を有する袋体と、
前記開口部の開口方向から見て前記開口部を挟むように配置された少なくとも２つの固定部において前記袋体に固定された吊り上げベルトと、
前記袋体に固定されていると共に、前記吊り上げベルトを摺動自在に支持する複数の支持部とを備えており、前記開口部の縁部に沿って前記２つの固定部及び前記複数の支持部が配列されていることを特徴とする梱包材であって、
前記２つの固定部を結ぶ直線同士が平行になるように配置された２本の前記吊り上げベルトを備えており、前記支持部が、当該支持部に最も近い前記直線にかかる前記吊り上げベルトのみを支持していることを特徴とする梱包材。
【請求項２】
前記袋体が一方向に延在しており、
前記直線が前記一方向に沿うように前記２つの固定部が配置されていること特徴とする請求項１に記載の梱包材。
【発明の詳細な説明】
【技術分野】
【０００１】
本発明は、資材などの内容物を梱包すると共に運搬及び保管に好適に使用される梱包材に関する。
【背景技術】
【０００２】
資材を運搬又は保管するために、当該資材を梱包材で梱包することがある。梱包材としては、例えば、資材が長尺物の板材などを積層したものであるときに、積層した複数の板材の全側面をダンボール板で包んだ上をストレッチフィルムで緊締する技術が知られている（例えば、特許文献１参照）。この場合、資材に風雨や埃除けのための養生を施すときには、予め保護シートを資材で覆うことがある。梱包された資材は、フォークリフトによってすくい上げられて運搬される。さらに、梱包された資材をクレーンで吊り上げる場合には、梱包された資材の外周を帯鉄やポリエチレン製バンドで結束する。そして、帯鉄やポリエチレン製バンドに玉掛け作業を行い、クレーンで吊り上げる。
【０００３】
【特許文献１】特開平１０−１９４３２７号公報（図１）
【発明の開示】
【発明が解決しようとする課題】
【０００４】
老朽化した資材などを内容物として梱包したとき、内容物が破損や崩壊することによって、荷崩れが発生することがある。この場合、上述した技術によると、ストレッチフィルムだけでは内容物の形状を維持することができず重心位置が変化する。このため、梱包された内容物をクレーンで吊り上げる際にバランスが崩れ易くなる。これに対処するためには、作業者が内容物のバランスに応じた適切な玉掛け作業を行うことが必要となり、煩雑である。
【０００５】
そこで、本発明は、内容物を容易にバランスよく吊り上げることができる梱包材を提供することを目的とする。
【課題を解決するための手段】
【０００６】
本発明の梱包材は、開口部を有する袋体と、前記開口部の開口方向から見て前記開口部を挟むように配置された少なくとも２つの固定部において前記袋体に固定された吊り上げベルトと、前記袋体に固定されていると共に、前記吊り上げベルトを摺動自在に支持する複数の支持部とを備えており、前記開口部の縁部に沿って前記２つの固定部及び前記複数の支持部が配列されている。
【０００７】
本発明によると、吊り上げベルトを引き上げたとき、固定部及び支持部における重量バランスが均衡するように、吊り上げベルトが支持部に対して摺動するため、特別な玉掛け作業を行うことなく、容易に、内容物をバランスよく吊り上げることができる。
【０００８】
本発明においては、前記２つの固定部を結ぶ直線同士が平行になるように配置された２本の前記吊り上げベルトを備えており、前記支持部が、当該支持部に最も近い前記直線にかかる前記吊り上げベルトのみを支持していてもよい。これによると、２本の吊り上げベルトを、開口部の上方に位置しないように、外側に向かって容易に移動させることができる。これにより、内容物を袋体の内部に容易に収容することができる。
【０００９】
このとき、前記袋体が一方向に延在しており、前記直線が前記一方向に沿うように前記２つの固定部が配置されていることがより好ましい。
【００１０】
また、本発明においては、前記吊り上げベルトが、前記袋体を前記開口部の反対側から支持すると共に前記袋体を包囲するように配置された環状構造を有していることがより一層好ましい。これによると、吊り上げベルトの強度が高くなると共に、袋体を確実に支持することができる。
【００１１】
さらに、本発明は、前記袋体の前記開口部の反対側から前記袋体を支持するように配置された環状構造を有するベルトの各端部が、前記支持部となっていてもよい。これによると、支持部を容易に形成すると共に、袋体を確実に支持することができる。
【発明の効果】
【００１２】
本発明によると、吊り上げベルトを引き上げたとき、固定部及び支持部における重量バランスが均衡するように、吊り上げベルトが支持部に対して摺動するため、特別な玉掛け作業を行うことなく、容易に、内容物をバランスよく吊り上げることができる。
【発明を実施するための最良の形態】
【００１３】
以下、本発明の好適な実施形態について、図面を参照しつつ説明する。
図１は、本発明に係る梱包材の外観斜視図である。なお、図１においては、内容物である資材を収容した状態を示している。図２は、図１中上方から見た梱包材１の上面図である。図３は、図１中下方から見た梱包材１の底面図である。図１〜図３に示すように、梱包材１は、袋体２と、２つの吊り上げベルト３と、２つの支持ベルト４５とを有している。
【００１４】
袋体２は、ポリプロピレンなどの可撓性を有するシート材で形成されたものであり、一方向に延在する直方体形状を有している。また、袋体２は、図１中上面（長手方向に延在する一面）に開口部２ａを有している。開口部２ａは、当該開口部２ａに隣接する長手方向に延びる側面から連続して延在する蓋２１によって開閉自在となっている。なお、袋体２は、底面寸法が２０００ｍｍ×１０００ｍｍであり、高さが６００ｍｍであり、容積が１２００Ｌとなっているが、袋体２の各寸法は任意のものであってよい。
【００１５】
２つの吊り上げベルト３は、袋体２を下方（開口部２ａの反対側の面）から支持すると共に長手方向に沿って包囲するように配置された環状構造を有する平ベルトである。また、２つの吊り上げベルト３は、袋体２の長手方向に関する各端面の固定部３１に固定されている。このとき、各吊り上げベルト３に関する一対の固定部３１が、開口部２ａの開口方向（図１中上方）から見て開口部２ａを挟むように配置されている。そして、２つの吊り上げベルト３に関する一対の固定部３１を結ぶ直線が、互いに平行に、且つ、袋体２の長手方向に沿って延在している。なお、吊り上げベルト３における支持部４（後述）と接触し得る領域及び吊り上げるときにクレーンのフックなどが接触する領域には保護材３２が巻き付けられており、摩擦によって損傷するのを防止している。
【００１６】
２つの支持ベルト４５は、袋体２を下面から支持する環状構造を有する平ベルトである。また、２つの支持ベルト４５は、袋体２の短手方向に関する各端面の固定部４１においてそれぞれ短手方向に延在しつつ互いに平行になるように固定されている。各支持ベルト４５の各端部が、開口部２ａの縁部から上方に向かってＵ字形状を形成しつつ突出している一対の支持部４となっている。このとき、一対の支持部４が、上方から見たとき開口部２ａを挟んで対向している。支持部４は、Ｕ字形状の内部に吊り上げベルト３を通過させることによって、吊り上げベルト３を摺動自在に支持するものである。本実施形態においては、各支持部４が、２つの吊り上げベルト３のうち、当該支持部４に最も近い一対の固定部３１を結ぶ直線に関する吊り上げベルト３のみを支持する。このとき、固定部３１から延びた吊り上げベルト３が、最も近い支持部４の内部を内側から外側に向かって通過している。これにより、吊り上げベルト３の中央部が吊り上げられたとき、各支持部４が内側に絞り込まれる。なお、支持部４における吊り上げベルト３と接触し得る領域には保護材４２が巻き付けられており、摩擦によって損傷するのを防止している。
【００１７】
図２に示すように、梱包材１を上方から見たとき、開口部２ａの短手方向に延在する各縁部に沿って２つの固定部３１が等間隔に配置されている。また、開口部２ａの長手方向に延在する各縁部に沿って２つの支持部４（４つの固定部４１）が等間隔に配置されている。これら計４つの固定部３１及び４つの支持部４（８つの固定部４１）が、開口部２ａの中心点Ｏを基準に点対称となっている。なお、中心点Ｏを通過する直線を基準に線対称となっていてもよい。
【００１８】
図３に示すように、梱包材１を下方から見たとき、長手方向に延びる２本の吊り上げベルト３及び短手方向に延びる４つの支持ベルト４５（実質的には２つである）が網目状に配置されている。具体的には、４つの支持ベルト４５のうち、長手方向に関する外側に配置された２つの支持ベルト４５が吊り上げベルト３よって袋体２に押さえつけられるように、且つ、長手方向に関する内側に配置された２つの支持ベルト４５が吊り上げベルト３を袋体２に押さえつけるように配置されている。
【００１９】
次に、梱包材１の使用方法について詳細に説明する。梱包材１の内容物は長尺の板状の資材を積層したものであり、例えば、スレート板、サイディングボード、珪酸カルシウム板などが挙げられる。特に、石綿含有の廃棄物においては、飛散防止のため、板状の資材をそのまま積層し、ポリエチレンシートなどで密封梱包することが好ましい。そして、このような内容物を袋体２の開口部２ａから袋体２の内部に収容した後、蓋２１で開口部２ａを閉じる。
【００２０】
そして、２つの吊り上げベルト３をそれぞれ支持部４の間から吊り上げ、開口部２ａの中心点Ｏの上方においてクレーンのフックに引っ掛ける。これにより、全ての固定部３１、及び、吊り上げベルト３を支持する全ての支持部４（固定部４１）が、上方且つ内側に向かって引き上げられる。このとき、吊り上げベルト３が支持部４に対して摺動自在となっているため、全ての固定部３１、及び、全ての支持部４の重量バランスが均衡するように、吊り上げベルト３と支持部４との接触位置が自動的に調整される。これにより、梱包材１の姿勢が重量的にバランスが取れた状態で安定する。さらに、開口部２ａの縁部に沿って配列された全ての固定部３１、及び、全ての支持部４（固定部４１）が、内側に向かって移動するため、開口部２ａが絞り込まれ内容物が開口部２ａから落下するのを防止することができる。
【００２１】
以上、説明した本実施形態によると、吊り上げベルト３が支持部４に対して摺動自在となっているため、吊り上げベルト３を吊り上げるだけで、全ての固定部３１、及び、全ての支持部４の重量バランスが均衡するように、吊り上げベルト３と支持部４との接触位置が自動的に調整される。このため、特別な玉掛け作業を行うことなく、容易に、内容物をバランスよく吊り上げることができる。
【００２２】
また、２つの吊り上げベルト３に関する一対の固定部３１を結ぶ直線同士が平行になるように配置されており、各支持部４が、２つの吊り上げベルトのうち、当該支持部４に最も近い一対の固定部３１を結ぶ直線に関する吊り上げベルト３のみを支持する。このため、２本の吊り上げベルト３を、開口部２ａの上方に位置しないように、外側に向かって容易に移動させることができる。これにより、内容物を袋体２の内部に容易に収容することができる。
【００２３】
さらに、吊り上げベルト３が、袋体２を下方から支持すると共に長手方向に沿って包囲するように配置された環状構造を有するため、吊り上げベルト３の強度が高くなると共に、袋体２を確実に支持することができる。
【００２４】
加えて、支持部４が、袋体２を下面から支持する環状構造を有する平ベルトの端部に形成されているため、支持部４を容易に形成すると共に、袋体２を確実に支持することができる。
【００２５】
＜第１変形例＞
本発明に係る第１変形例について図４を参照しつつ説明する。上述した実施形態においては、吊り上げベルト３が袋体２の固定部３１に直接的に固定される構成であるが、吊り上げベルトの袋体２に対する固定方法は任意のものであってよい。例えば、図４に示すように、固定部３１において袋体２を下方から支持するように固定された支持ベルト１３３と吊り上げベルト１０３とを、リング状金具１３２を介して連結することによって、吊り上げベルト１０３を袋体２に間接的に固定する構成であってもよい。
【００２６】
＜第２変形例＞
本発明に係る第２変形例について図５を参照しつつ説明する。上述した実施形態においては、支持部４が、環状構造を有する支持ベルト４５の端部に形成される構成であるが、吊り上げベルト３を摺動自在に支持できるのであれば、支持部の構造は任意のものであってよい。例えば、図５に示すように、袋体２を下方から支持する帯状の支持ベルト２４５の端部にリング状の支持部２０４を形成する構成であってもよい。
【００２７】
＜第３変形例＞
本発明に係る第３変形例について図６を参照しつつ説明する。上述した実施形態においては、梱包材１が２つの吊り上げベルト３を有する構成であるが、梱包材１が１つ又は３つ以上の吊り上げベルトを有する構成であってもよい。例えば、図６に示すように、梱包材３０１が、１つの吊り上げベルト３０３を有する場合には、吊り上げベルト１０３を袋体２の長手方向に関する両端面に固定すると共に、２つの支持部３０４を短手方向に関する両端面に固定することが好ましい。この場合、吊り上げベルト１０３の固定部及び支持部３０４が、開口部２ａの中心点Ｏを基準に点対称に配置されることがより好ましい。
【００２８】
＜第４変形例＞
本発明に係る第４変形例について図７及び図８を参照しつつ説明する。上述した実施形態においては、袋体２が、直方体形状を有する構成でるが、袋体の形状は任意のものであってよい。例えば、図７及び図８に示すように、袋体４０２が、円筒形状を有するものであってもよい。
【００２９】
以上、本発明の好適な実施形態について説明したが、本発明は上述の実施形態に限られるものではなく、特許請求の範囲に記載した限りにおいて様々な変更が可能なものである。例えば、上述の実施形態においては、吊り上げベルト３及び支持ベルト４５が平ベルトとなっているが、吊り上げベルト３及び支持ベルト４５の形状は任意のものであってよい。例えば、円形断面を有するベルトであってもよい。
【００３０】
また、上述の実施形態においては、吊り上げベルト３及び支持ベルト４５が袋体２を下方から支持する構成であるが、吊り上げベルトや支持部が袋体の側面から延在する構成であってもよい。
【００３１】
さらに、上述した実施形態においては、固定部３１と支持部４とが袋体２の互いに異なる側面に固定される構成であるが、固定部３１と支持部４とが袋体の同一の側面に固定される構成であってもよい。
【００３２】
加えて、上述した実施形態においては、袋体２の短手方向に延在する各側面において２つの固定部３１が等間隔に配置され、袋体２の長手方向に延在する各側面において４つの固定部４１が等間隔に配置される構成であるが、各固定部の配置位置は任意のものであってよいし、対向する側面同士で異なる数の固定部が配置されていてもよい。
【図面の簡単な説明】
【００３３】
【図１】本発明の実施形態に係る梱包体の外観斜視図である。
【図２】図１に示す上方から見た梱包体の上面図である。
【図３】図１に示す下方から見た梱包体の底面図である。
【図４】本発明の第１変形例を示す図である。
【図５】本発明の第２変形例を示す図である。
【図６】本発明の第３変形例を示す図である。
【図７】本発明の第４変形例を示す図である。
【図８】本発明のさらなる第４変形例を示す図である。
【符号の説明】
【００３４】
１     梱包材
２     袋体
２ａ   開口部
３     吊り上げベルト
４     支持部
２１   蓋
３１   固定部
３２   保護材
４１   固定部
４２   保護材
４５   支持ベルト
【図１】
0005326153.tif 000002
【図２】
0005326153.tif 000003
【図３】
0005326153.tif 000004
【図４】
0005326153.tif 000005
【図５】
0005326153.tif 000006
【図６】
0005326153.tif 000007
【図７】
0005326153.tif 000008
【図８】
0005326153.tif 000009